(57)【要約】      （修正有）【課題】植物の吸水作用を極めて容易化させ、光合成作用、二酸化炭素の固定を促進し、腐食しない野菜や果実を生産する農法を提供する。【解決手段】極性的電気（電場）を有する培地２より半導体を単独又は複数個を用いて電子の誘導を以って植物生体１の地上部に印加接続して植物生体１の胸高置４（幹）と培地２間の電位の拡大を図ることを特徴とする植物の延命力と非腐敗野菜や果実を生産する農法。【選択図】図１
2009207476.tif 000002
【特許請求の範囲】
【請求項１】
極性的電気（電場）を有する培地より「半導体」を単独又は複数個を用いて電子の誘導を以って植物生体の地上部に印加接続して生体の胸高置（幹）と培地間の電位の拡大を図ることを特徴とした植物生体の延命力と非腐敗生体の生産的農法。
【請求項２】
植物生体と培地近傍に「半導体」を単独又は複数個を直接的又は間接的に挿入又は設置して植物生体に電気的な刺激を与えて生体の活性化を図ることを特徴とした請求項１の植物生体の延命力と非腐敗生体の生産的農法。
【請求項３】
植物生体と培地間の電位の拡大を図る配線路に「コンバーターや外部電源」のエネルギーを追加して、生体と培地間の電位拡大と安定化を図ることを特徴とした請求項１，２の植物生体の延命力と非腐敗生体の生産的農法。
【請求項４】
培地中の電子誘導の拡大を図る手段に「半導体のリード線」に複数金属を接続してイオン化反応による誘導促進を図ることを特徴とした請求項１，２，３の植物生体の延命力と非腐敗生体の生産的農法。
【請求項５】
水耕培地水中又は用水中に「半導体」を単独又は複数個を水浸し又は通水性の袋、容器などに収容水侵して、水質の活性化を図ることを特徴とした請求項１，２，３の植物性生体の延命力と非腐敗生体の生産的農法。
【発明の詳細な説明】
【技術分野】
【０００１】  植物生体の改善による生産方法と自然環境の関連に関する。
【背景技術】
【０００２】  植物は酸素の生産者であるが、人は酸素の消費者であると共に、食生活の主体も全て植物である。
従って、植物とは切っても切れない永遠に生存する相利共生の関係である筈の自然環境は、全て人間社会が破壊した現下は見るも無残である。
その結果が、地球的な温暖化の起因となり、二酸化酸素の削減がうめき声で叫ばれているのが現状の人間社会である。
環境の悪化は、自然環境にとどまらず食物界に大きな問題を提起している。
即ち、「農薬野菜や果実」の存在がある。これが人の健康を害し、子供の頭脳や成長を害している。
このような生活環境では、とても健康的な長寿社会とは言いがたく期待も出来ない現状である。
【発明の開示】
【発明が解決しょうとする課題】
【０００３】  植物とは長年に亘る研究と付き合いから、植物が持つ偉大な潜在能力を有する生物であることは関係者なら誰でも知っているが、植物生体が未分化生体であることと生体が極性的電気を有し、この電位が「成長や生体バランス」に関連していることは、誰にも知られていない。
本発明は、生体電位の拡大を図るためのエネルギーは全て自然力と半導体で賄うことを開発して「生体の生理機構の改善」で「生体の成長力と酸化還元の促進」即ち、「電子伝達系の改善」で「植物生体の延命力と非腐敗植物」の生産的システムとして本発明に至ったのである。
【課題を解決するための手段】
【０００４】概念
地球上に生存する生物中で「５，０００年〜１０，０００年」も生存できる能力を有する唯一の植物生体である理由に加えて未分化生体であることから「生体の機能改善や酸化還元の改善」の能力を信じるエネルギーは「生体電位の拡大」から生れたアイデアである。
【０００５】概要
以上の知見と研究に基く生体の活性化は、未分化細胞（幹細胞、始原細胞）の電気的な刺激が生体の活発化に一番役立つことが判った。
従って、生体が有する極性電位を半導体で電子の一方的な増幅拡大を以って「電子伝達系と生体活性化」を促進することが本件目的を達成する手段である。
【０００６】極性的電気（電場）とは
本件の物質中に存在する極性的電気を有する物質とは植物生体、土壌、培地、水（水耕培地）の２点間に電圧計の陰、陽の計測リード棒を２点間に差し込み電位測定可能な物質を言う。即ち、自由電子の存在物質である。
【０００７】半導体とは
本件で言う電気デバイス半導体とは、「ダイオード、トランジスター」を言う。
【０００８】外部電源とコンバターとは
乾電池、蓄電池，太陽電気、フオトダイオード、フオトトランジスター、オール直流電源を言う。コンバーターはジシジシコンバーター等の電子拡大デバイス。
【０００９】植物生体とは
木本植物、草本植物、果樹木、花木、果菜，果実，野菜、など，植物全般を言う。生体とは、（幹、茎、枝、菜、根、果実、果物、花）など植物関連物質を言う。
【００１０】用途
木本植物、草本植物に拘わらず植物全般、挿し木、土壌栽培，水耕栽培、水草，海草の植物全般。
【００１１】生命力と非腐敗生体とは
植物生体の生命力は全て生体の「水分バランス」の良否にある。従って、生体内の水質は生体電位の拡大に伴う電子水は「疑集力、毛管力、表面張力」の活水に改変して「メニスカス」の反応を有する「水養水」に改善されているから極めて吸水作用が容易である。
従って、「水分バランス」が整い安く、これが延命力の原動力である。又、本件の実験果物の非腐敗ミカンの原因は、全て生体内に有する電子水である。
従って、腐敗菌の浸入余地が全くないからである。その証として実験ミカンは全て「ミイラ、ミカン」に至ったのである。（非腐敗ミカン）
【００１２】適用形態
植物が有する極性的電位は、培地との関連から発生する電位である。生体の成長システムは根毛より培地中の養水分を接木部、茎、枝葉、梢預に向かって上昇されて、生体の全てを潤すが、その反対に梢頂より生産エネルギーを細根部に蓄積する。（生命エネルギー）システムになっている。
植物生体の最大のネックは、吸水作用（水分バランス）の良否にある。即ち、植物の発生は「水中で生れて、陸上に上陸」した経緯から「水ストレス」が、植物共通の持病と言われている所以である。
従って、生体の「水ストレス」が生存の極みである。その理由から、本発明は、植物生体の「吸水」に最大の水質技術を開発している。
即ち、前記に示した総合的には「疑集力とメニスカス」現象を以って培地水の改善を図る手段で培地中に有する自由電子を半導体で誘引して、生体電位の拡大システムが全てである。即ち、生体の各器官に係わる全ての機能が活性化するからである。
従って、吸水作用が極めて容易化されるから、日中のクチクラ蒸散化が減少（しおれ現象）し、光合成作用が促進されて「生体バランスが整い恒常化」する結果が、生体の「成長、生命力」を生み、これに伴う活力も生れる。
従って、「二酸化炭素の固定」が促進するから「炭素削減」による自然環境の改善による貢献も生れる。他方では、植物生体の延命力と非腐敗の食物の生産化が容易になり、健康で長生きできる「腐食しない野菜や果実」が市販されるから食の生活に貢献できる。
【発明の効果】
【００１３】  本発明の最大ニュースは「米粒」大の半導体で伸長成長が停止した「くぬ木の大木」が通常木の約３０％の肥大成長データーがある。（嘘のような本当の事でである。）現下の地球的な温暖化現象は目に余るものである。そこで農林水産省と環境省との委託契約による（独）森林総合研究所のデーター、即ち、「日本国の二酸化炭素の固定基準」である。その平均スギの樹令３５年生は年間約６８ｋｇと規定している。（平均基準）
この基準に対して、本発明技術である延命技術を以って対照実験を試みた。３５年樹齢の成長スギに対し、樹齢５０年生スギで対照データーに類似したスギを選抜して実験木２本と非実験木３本の各胸高置に肥大成長バンドをセットして、実験木には半導体を培地と接木部間にセッテングし、非実験木には無処理での実験開始より約１０ケ月後に調べて見た。その結果は、
非実験木スギ３本の平均の肥大成長１〜２ｍｍ
実験木スギ２本の平均の肥大成長５，２ｍｍ
以上の結果から類推すると国の６８ｋｇの固定率に対して約３０％の成長差が経験測から判断される。従って、６８ｋｇ×３０％＝８８ｋｇの固定、即ち、２０ｋｇが本発明の技術的な効果である。京都議定書では、森林木による３，９％の削減を約束している中で本件技術は国際的にも類を見ない画期的な世界に誇られる技術である。
【発明を実施するための最良の形態】
【００１４】  本発明は、植物生体が持つ極性的電位の拡大を図るため培地中の自由電子を半導体で誘引して生体地上部（幹）にバイパス印加接続するという極めてシンプルな手段である。
本来的にマツ、スギ、ヒノキ等の生体が有する培地と胸高置の極性的電位は約３５０ｍｖ〜７００ｍｖであるが、半導体によるバイパス印加すると、即、１，１００ｍｖ〜１，３００ｍｖにアップする生体電位の理由については、未だ不明な課題が存在する点については今後の課題である。従って実態について例示的に説明する。
（１）雑木林の「くぬ木とナラ木」数１０本に半導体のバイパス方式で４月ごろ実施実験を始め、１０月１０日実施木の周辺に「コウタケ」が約３０本発生し、又従来から考えられない「ドングリ」の落下に驚いた。（ドングリ大豊作）
（２）花粉症害は、大きな社会問題化している。その原因は植物生体の「水ストレス」と文献は主張する中で本件技術は「水ストレス改善」である理由から実験実施した。即ち、同地上のスギ４本を選抜した実験木２本に半導体バイパスをセット、非実験をコントロール木として比較した。
春４月ごろ実験を開始、翌年の１月に調査する。
実験木スギの２本共に着花量ゼロ状態。
非実験木スギの２本共に枝葉が曲がる程の着花量が付着
結果は、本件発明の「水分バランス」技術の証である。（恒常的なホメオシタシス）
（３）同地上のヒノキ樹齢５５年生６本を選抜し、実験木３本に半導体バイパスをセットし胸高置に肥大成長バンドをセツト、非実験木３本に肥大成長バンドをセット各１月に比較実験を開始同年１２月に調査する。
ヒノキ実験木３本の平均肥大成長４，５ｍｍ
ヒノキ非実験木３本の平均肥大成長１，１ｍｍ
（４）イチゴの比較実験、宝交イチゴの細根部に半導体を挿入して完熟を待つて糖度の比較実験をして見た。
実験宝交イチゴ糖度１７，５度（最高）
非実験宝交イチゴ糖度１４，５度（最高）
（５）白菜の比較実験、黄月７７白菜の細根部に半導体を挿入し、コントロール黄月７７との比較をして見た、同１１末に収穫して糖度の比較実験した。
実験黄月７７  糖度６，０度
非実験黄月７７  糖度３，０度
現下の巷では、京都議定書に基く３，９％の二酸化炭素の削減を森林で賄う云々と言われる状況は１日も早期な解決を要望すると共に本件技術を広く世界に提供して全ての人類と共に温暖化現象の改善を願うものである。【００１５】植物生体の測定方法
通常の極性的電位の測定は、植物生体の胸高置（地上約１３０ｃｍ）と培地との間を電圧計で測定する。
草本植物は、培地と茎又は葉や梢頂との間を電圧測定する。本件の半導体セットの測定法は半導体の接木部のセツト前、後を測定してその比較による数値の大、小が実効の指標になる。即ち、その数値の大きい程効果がある。これが基本的な測定法である。（図１参照）
【実施例】
【００１６】  以下に示す実施による発明態様を説明するが、例示は単なる説明用のもので、発明思想の制限又は限定を意味するものではない。【００１７】例（１）
てんぐす病微のサクラ木の生体電位は、３２０ｍｖに対してダイオード２ケ所を培地と接木部間に印加接続すると生体電位は１，１００ｍｖにアップする。約１ケ月後には、回復のきざしが確認され初め、約２ケ月後には完治した。【００１８】例（２）
マツの立ち枯れ寸前の生体電位は３５０ｍｖであったがダイオード３ケを培地と接木部間に接続印加すると生体電位は１，２００ｍｖにアップする。接地後約３ケ月後には、ほぼ完全に完治する。【００１９】例（３）
ヒノキ樹齢５３年生のヒノ木の比較木を同所で２本を選出して、肥大成長測定をした。即ち、実験木と非実験に各胸高置バンドをセツトし、実験木の生体電位５５０ｍｖに対してトランジスター１個を培地と接木部間にセットし、電子バイパスを印加すると１，２００ｍｖにアップする。非実験木５７０ｍｖ（生体電位）で実験開始後約１０ケ月後に調べて見た。
非実験木の肥大成長は約１ｍｍ
実験木の肥大成長は約４，５ｍｍ
結果、実験木が約３，５倍の肥大成長【００２０】例（４）
スギの樹齢５２年生の比較対照木を同所で２本を選出して、非実験木の生体電位５２０ｍｖに対する実験木の生体電位は４８０ｍｖの培地と接木間にダイオード２ケ所に電子バイパスを印加接続して実験を開始後１２ケ月後に調べて見た。
非実験木の肥大成長は２ｍｍ
実験木の肥大成長は５，３ｍｍ      成長差３，３ｍｍ
特質結果が出る。即ち、実験スギ木にはスギの実が全く無いのに対し、非実験木にはスギの実が枝葉が折れる程茂っている。（着花量の豊作対不作）
【図面の簡単な説明】
【００２１】
【図１】  本発明のダイオード、トランジスターを植物生体に樹木及び培地にセットした状態を示す正面図（見取図）
【図２】  本発明のダイオードをミカンの木にセットした状態を示す正面図
【図３】  本発明のダイオードをピーマンにセットした状態を示す正面図
【図４】  本発明のダイオードをポット内部に収容しその上に白菜をセットした状態をお示す正面図
【図５】  本発明のダイオードに挿し木を水耕栽培のポットにセットした状態を示す断側面図
【図６】  本発明のダイオードをイチゴに植栽してセツトした状態を示す正面図
【図７】  本発明のダイオードを水耕栽培（水槽）にセットした状態を示す断面図
【図８】  本発明のダイオードを複数本の桜並木に用いた上体を示す側面図
【図９】  ダイオードの一方に３本のリード線を介して電子端子をセットした状態を示す平面図
【図１０】  ダイオードの下部にリード金属を３本取り付けプラスチック板で固定した状態を示す平面図
【図１１】  上部のトランジスターに、先端にイオン金属を取付けた２本のリード金属を圧着端子、プラスチック板をボルト、ナットで取付けた状態を示す平面図
【図１２】  多孔質材に複数個のダイオードを横に並べ固定して，四方にリード線を介して圧着端子を取り付け該圧着端子を多孔質材にカシメた状態を示す平面図
【符号の説明】
【００２２】  １    植物生体
２    培地
３    接木部
４    胸高置
５    細根部
６    根毛
７    ダイオード
８    トランジスター
９    ポット（容器）
１０  圧着端子
１１  タッピング
１２  押しピン
１３  アース棒
１４  アースイオン推（金属）
１５  炭素繊維トランジスター
１６  プラスチック板
１７  水（水耕培地）
１８  押しピンダイオード
１９  差込ダイオー
２０  水槽
２１  繊維ダイオード（図１２参照）
２２  浮木板（安定板）
２３  圧着端子
２４  イオン金属
２５  多孔質材（シート）
２６  リード金属（配線）
２７  プラスチック板
２８  ナット
２９  スポンジ
３０  カシメ
【図１】
2009207476.tif 000003
【図２】
2009207476.tif 000004
【図３】
2009207476.tif 000005
【図４】
2009207476.tif 000006
【図５】
2009207476.tif 000007
【図６】
2009207476.tif 000008
【図７】
2009207476.tif 000009
【図８】
2009207476.tif 000010
【図９】
2009207476.tif 000011
【図１０】
2009207476.tif 000012
【図１１】
2009207476.tif 000013
【図１２】
2009207476.tif 000014